(57)【要約】      （修正有）【課題】予算確保が困難な組織における資金調達を可能にする広告代理システム及び広告代理プログラムを提供する。【解決手段】広告代理システムにおいて、広告代理装置（管理サーバ４０）は、消防署の緊急車両における広告の希望を受け付ける広告表示エリア受付部４０Ａと、広告主の広告表示の希望を受け付ける広告主受付部４０Ｄと、当該広告主に対し広告費の決済を行う広告費決済部４０Ｍと、決済した広告費相当分のデジタル通貨を発生するデジタル通貨発生部４０Ｊと、広告配信に必要な情報を登録する広告登録部４０Ｌと、広告主に対する広告費の決裁を行う広告費決済部４０Ｍと、広告配信を広告表示端末１１に対し要求する広告配信依頼部４０Ｎと、商品またはサービスの購入の申し込みを受け付ける購入受付部４０Ｐと、当該購入に基づいてデジタル通貨に基づく決済を行うデジタル通貨決済部４０Ｑと、して機能する。【選択図】図３
2020194403.tif 000002
【特許請求の範囲】
【請求項１】
事業者の物品に設定された広告表示エリアへの広告表示を希望する広告主に対し広告費の決済を前記事業者に代わって行う広告費決済代行ステップと、
管理サーバによって行なわれ、代行して決済した前記広告費に相当する数量のデジタル通貨を生成するデジタル通貨生成ステップと、
生成した前記デジタル通貨のデータを記憶装置に記憶するデジタル通貨記憶ステップと、
生成された前記デジタル通貨のデータと当該事業者を識別する識別子とを関連付け、当該事業者の有効な前記デジタル通貨の数量として、記憶装置に記憶するデジタル通貨関連付けステップと、  
商品またはサービスについて当該事業者が購入を希望する場合には、前記事業者に関連付けられた前記デジタル通貨のデータを前記記憶装置から参照し、購入希望の前記商品またはサービスの購入価格分を前記デジタル通貨のデータから減算するデジタル通貨減算ステップと、
減算結果を当該事業者の有効な前記デジタル通貨の数量として更新するデジタル通貨更新ステップと、を備えることを特徴とする広告代理システム。
【請求項２】
代行して決済した前記広告費に相当する金額を当該事業者の売上預かり金データとして記憶装置に記憶する売上預かり金データ記憶ステップを備え、
前記デジタル通貨減算ステップでは、
前記購入希望の商品またはサービスの購入価格分を前記デジタル通貨のデータから減算するとともに、
前記事業者からの購入価格分を前記売上預かり金データから減算することを特徴とする請求項１記載の広告代理システム。
【請求項３】
前記物品に設けられた情報端末に対し、前記広告表示エリアに広告表示を要求する広告配信依頼ステップを備えることを特徴とする請求項１または２記載の広告代理システム。
【請求項４】
前記物品は移動体であり、
前記商品は、前記移動体または前記移動体に取り付けられる部品であることを特徴とする請求項１または２記載の広告代理システム。
【請求項５】
前記移動体は緊急用移動体であり、
前記物品に設けられた情報端末は、前記物品が設けられた緊急用移動体が出動状態であるか否かを判定し、
出動状態でない場合には前記広告表示エリアに広告表示を行う一方、
出動状態である場合には前記広告表示エリアに広告表示を行わないことを特徴とする請求項４項記載の広告代理システム。
【請求項６】
事業者の物品に設定された広告表示エリアへの広告表示を希望する広告主に対し広告費の決済を前記事業者に代わって行う広告費決済代行ステップと、
代行して決済した前記広告費に相当する数量のデジタル通貨を生成するデジタル通貨生成ステップと、
生成した前記デジタル通貨のデータを記憶装置に記憶するデジタル通貨記憶ステップと、
生成された前記デジタル通貨のデータと当該事業者を識別する識別子とを関連付け、当該事業者の有効な前記デジタル通貨の数量として、記憶装置に記憶するデジタル通貨関連付けステップと、  
商品またはサービスについて当該事業者が購入を希望する場合には、前記事業者に関連付けられた前記デジタル通貨のデータを前記記憶装置から参照し、購入希望の前記商品またはサービスの購入価格分を前記デジタル通貨のデータから減算するデジタル通貨減算ステップと、
減算結果を当該事業者の有効な前記デジタル通貨の数量として更新するデジタル通貨更新ステップと、を備えることを特徴とする広告代理プログラム。
【請求項７】
事業者の物品に設定された広告表示エリアへの広告表示を希望する広告主に対し広告費の決済を前記事業者に代わって行う広告費決済代行部と、
代行して決済した前記広告費に相当する数量のデジタル通貨を生成するデジタル通貨生成部と、
生成した前記デジタル通貨のデータを記憶装置に記憶するデジタル通貨記憶部と、
生成された前記デジタル通貨のデータと当該事業者を識別する識別子とを関連付け、当該事業者の有効な前記デジタル通貨の数量として、記憶装置に記憶するデジタル通貨関連付け部と、  
商品またはサービスについて当該事業者が購入を希望する場合には、前記事業者に関連付けられた前記デジタル通貨のデータを前記記憶装置から参照し、購入希望の前記商品またはサービスの購入価格分を前記デジタル通貨のデータから減算するデジタル通貨減算部と、
減算結果を当該事業者の有効な前記デジタル通貨の数量として更新するデジタル通貨更新部と、を備えることを特徴とする広告代理装置。
【発明の詳細な説明】
【技術分野】
【０００１】
本発明は、広告代理システム、広告代理プログラム、及び広告代理装置に関する。
【背景技術】
【０００２】
従来より、移動体としてバスや路面電車等の公共交通機関の車両を使用し、移動体の外面に掲載した広告を宣伝媒体とする広告ビジネスが知られている。この種の広告ビジネスでは、広告主と広告を掲載する移動体の所有者との間で契約が結ばれ、移動体の予め指定されている運行予定、即ち走行ルート、走行予定時間帯および走行予定距離などに基づいて広告掲載料が算定され、この広告掲載料が広告主から移動体の所有者に支払われる。
【０００３】
この場合、上記広告掲載料は、事前に予想される広告効果のみに依存して決定される。例えば都心ルートを走行する移動体、即ち広告がより多数の人に見られることを期待できる移動体は、広告掲載料が高く設定される。例えば、特許文献１によれば、情報を掲載した移動体の移動による情報掲載効果を適切に反映して移動体側に情報掲載料の支払いを行うことができる、移動体による情報掲載の管理システムを開示している。
【先行技術文献】
【特許文献】
【０００４】
【特許文献１】特開2002-288520号公報
【発明の概要】
【発明が解決しようとする課題】
【０００５】
ところで、少子高齢化に伴う日本の人口減少は、日本にとって大きな課題である。県や市等の地方自治体にとっては、当該地域の人口減少はそのまま税収減につながるため、当該地域のインフラの新設や、既設のインフラのメンテナンスにも限界がある。例えば、消防署や警察署などの公的機関においても、緊急事態に備え、消防車、救急車やパトカー等の緊急車両や緊急車両に搭載する機械に対し、継続的なメンテナンスが必要にも関わらず、それを維持する税収が確保できない結果、メンテナンスが継続的にできないままとなっている。
【０００６】
こうした事情から、使用しなくなった車両や設備をオークション等で販売する自治体も出てきている。ところが、販売できる車両等の数にも限界があること、オークションへの出品や、落札に伴う売上金の受け取りの都度、決裁が必要となる。このため、オークション等による資金調達も限界がある。
【０００７】
本発明は、斯かる実情に鑑み、予算確保が困難な組織における資金調達を可能にする広告代理システム、広告代理プログラム、及び広告代理装置を提供しようとするものである。
【課題を解決するための手段】
【０００８】
本発明の広告代理システムは、事業者の物品に設定された広告表示エリアへの広告表示を希望する広告主に対し広告費の決済を前記事業者に代わって行う広告費決済代行ステップと、管理サーバによって行なわれ、代行して決済した前記広告費に相当する数量のデジタル通貨を生成するデジタル通貨生成ステップと、生成した前記デジタル通貨のデータを記憶装置に記憶するデジタル通貨記憶ステップと、生成された前記デジタル通貨のデータと当該事業者を識別する識別子とを関連付け、当該事業者の有効な前記デジタル通貨の数量として、記憶装置に記憶するデジタル通貨関連付けステップと、前記広告費の決済を代行した者が取り扱う商品またはサービスについて当該事業者が購入を希望する場合には、前記事業者に関連付けられた前記デジタル通貨のデータを前記記憶装置から参照し、購入希望の前記商品またはサービスの購入価格分を前記デジタル通貨のデータから減算するデジタル通貨減算ステップと、減算結果を当該事業者の有効な前記デジタル通貨の数量として更新するデジタル通貨更新ステップと、を備えることを特徴とする。
【０００９】
本発明の広告代理プログラムは、事業者の物品に設定された広告表示エリアに対し広告表示を希望する広告主への広告費の決済を前記事業者に代わって行う広告費決済代行ステップと、代行して決済した前記広告費に相当する数量のデジタル通貨を生成するデジタル通貨生成ステップと、生成した前記デジタル通貨のデータを記憶装置に記憶するデジタル通貨記憶ステップと、生成された前記デジタル通貨のデータと当該事業者を識別する識別子とを関連付け、当該事業者の有効な前記デジタル通貨の数量として、記憶装置に記憶するデジタル通貨関連付けステップと、商品またはサービスについて当該事業者が購入を希望する場合には、前記事業者に関連付けられた前記デジタル通貨のデータを前記記憶装置から参照し、購入希望の前記商品またはサービスの購入価格分を前記デジタル通貨のデータから減算するデジタル通貨減算ステップと、減算結果を当該事業者の有効な前記デジタル通貨の数量として更新するデジタル通貨更新ステップと、を備えることを特徴とする。
【００１０】
本発明の広告代理装置は、事業者の物品に設定された広告表示エリアに対し広告表示を希望する広告主への広告費の決済を前記事業者に代わって行う広告費決済代行部と、代行して決済した前記広告費に相当する数量のデジタル通貨を生成するデジタル通貨生成部と、生成した前記デジタル通貨のデータを記憶装置に記憶するデジタル通貨記憶部と、生成された前記デジタル通貨のデータと当該事業者を識別する識別子とを関連付け、当該事業者の有効な前記デジタル通貨の数量として、記憶装置に記憶するデジタル通貨関連付け部と、商品またはサービスについて当該事業者が購入を希望する場合には、前記事業者に関連付けられた前記デジタル通貨のデータを前記記憶装置から参照し、購入希望の前記商品またはサービスの購入価格分を前記デジタル通貨のデータから減算するデジタル通貨減算部と、減算結果を当該事業者の有効な前記デジタル通貨の数量として更新するデジタル通貨更新部と、を備えることを特徴とする。
【発明の効果】
【００１１】
本発明によれば、予算確保が困難な組織における資金調達を可能にする広告代理システム、広告代理プログラム、広告代理装置を提供することができる。
【図面の簡単な説明】
【００１２】
【図１】広告代理システムのシステム構成図である。
【図２】管理サーバのハードウェア構成図である。
【図３】広告代理システム装置の機能ブロック図である。
【図４】広告代理システムにおいて用いられるデータのデータ構造を示す説明図である。
【図５】広告代理システムのフローチャートである。
【図６】広告代理システムのフローチャートである。
【発明を実施するための形態】
【００１３】
図１に示すように、広告代理システム２は、緊急車両Ｐ１１〜Ｐ１２を所有する消防署の情報端末１０と、緊急車両Ｐ１１〜Ｐ１２に設けられた広告表示端末１１〜１２と、広告主の情報端末２０と、広告表示端末１１〜１２に対し広告の配信を行う広告配信サーバ３０と、管理サーバ４０と、各情報を記憶するデータベースサーバ（以下、ＤＢサーバと称する）５０と、情報端末１１〜２０及び各サーバ３０〜５０との間の相互通信を可能にする通信回線８０と、を備える。
【００１４】
消防署の情報端末１０は、消防署の職員の操作に従って、所定の要求信号等を管理サーバ４０等へ送信するとともに、所定の演算結果を管理サーバ４０等から受信するものであり、デスクトップＰＣのような据置型端末や、タブレットＰＣやスマートフォン等の携帯端末などがある。
【００１５】
広告表示端末１１〜１２は、広告配信サーバ３０等へ送信するとともに、所定の演算結果を広告配信サーバ３０等から受信するものであり、デスクトップＰＣのような据置型端末又はタブレットＰＣやスマートフォン等の携帯端末と、広告が表示可能な大型モニターとを備える。
【００１６】
広告主の情報端末２０は、広告主の操作に従って、所定の要求信号等を管理サーバ４０等へ送信するとともに、所定の演算結果を管理サーバ４０等から受信するものであり、デスクトップＰＣのような据置型端末や、タブレットＰＣやスマートフォン等の携帯端末などがある。
【００１７】
広告配信サーバ３０は、管理サーバ４０等からの要求に応じて所定の演算処理を行い、広告表示端末１１〜１２に対し、所定の広告を配信するものである。
【００１８】
管理サーバ４０は、広告代理サービスを提供するものであり、端末１０〜２０や、各サーバ３０、５０からの要求に応じて所定の演算処理を行い、所定の演算結果を要求元へ送信する。ＤＢサーバ５０は、管理サーバ４０からの要求に応じて所定の演算処理を行い、所定の演算結果を要求元へ送信する。なお、ＤＢサーバ５０は、管理サーバ４０と一体となっていてもよい。
【００１９】
図２に示すように、管理サーバ４０は、ＣＰＵ４１と、ＲＡＭ４２と、ＲＯＭ４３と、外部記憶装置４４と、入力装置４５と、出力装置４６と、入出力インターフェース４８と、バス４９と、を備えている。
【００２０】
ＣＰＵ４１は、いわゆる中央演算処理装置であり、各種プログラムが実行されて各種サービスを実現する。ＲＡＭ４２は、いわゆるＲＡＭ（ランダム・アクセス・メモリ）であり、ＣＰＵ４１の作業領域として使用される。ＲＯＭ４３は、いわゆるＲＯＭ（リード・オンリー・メモリ）であり、ＣＰＵ４１で実行される基本ＯＳや各種プログラム（例えば、広告代理プログラム）を記憶する。
【００２１】
外部記憶装置４４は、各種プログラムの演算結果などを記憶するものであり、内蔵型の記憶装置（例えば、ハードディスクドライブ）、着脱可能な記憶装置（例えば、メモリーカード等）がある。なお、外部記憶装置４４としては、ＮＡＳ（ネットワークアタッチストレージ）のように、通信回線８０経由で接続されるものでもよい。
【００２２】
入力装置４５は、入力キーやキーボード、マウスであり、各種情報を入力する。出力装置４６は、ディスプレイであり、各種動作状態を表示する。
【００２３】
入出力インターフェース４８は、通信回線８０（図１）を介した通信を可能にするものである。バス４９は、ＣＰＵ４１、ＲＡＭ４２、ＲＯＭ４３、入力装置４５、出力装置４６、入出力インターフェース４８などを一体的に接続して通信を行う配線となる。
【００２４】
ＲＯＭ４３に記憶された基本ＯＳや各種プログラムがＣＰＵ４１によって実行されると、図３に示すように、管理サーバ４０は、広告代理装置として機能する。
【００２５】
広告代理装置（管理サーバ４０）は、消防署の緊急車両における広告の希望を受け付ける広告表示エリア受付部４０Ａと、広告主の広告表示の希望を受け付ける広告主受付部４０Ｄと、消防署に代わって当該広告主に対し広告費の決済を行う広告費決済部４０Ｍと、決済した広告費相当分のデジタル通貨を発生するデジタル通貨発生部４０Ｊと、広告配信に必要な情報を登録する広告登録部４０Ｌと、広告主に対する広告費の決裁を行う広告費決済部４０Ｍと、広告配信を広告表示端末１１に対し要求する広告配信依頼部４０Ｎと、商品またはサービスの購入の申し込みを受け付ける購入受付部４０Ｐと、当該購入に基づいてデジタル通貨に基づく決済を行うデジタル通貨決済部４０Ｑと、して機能する。
【００２６】
広告表示エリア受付部４０Ａは、消防署の情報端末１０に対し、消防署が所有する緊急車両に広告表示エリアの設定について希望の有無を問い合わせる。さらに、広告表示エリア受付部４０Ａは、消防署の情報端末１０からの広告表示エリアの設定の希望情報１１０（図４（Ａ））を受け付け、その旨を記憶装置へ記憶する。
【００２７】
広告表示エリアの設定の希望情報１１０は、消防署の名称１１１と、消防署の識別子１１２と、消防署が所有する緊急車両の識別子１１３と、当該緊急車両ごとに設定された広告表示エリアの識別子１１４と、広告表示エリアに相当する広告表示端末のIPアドレス情報１１５と、広告表示エリアの仕様（位置やサイズ）に関する情報（広告表示エリアの仕様情報）１１６と、広告表示エリアの価格情報１１７と、を備える。
【００２８】
広告主受付部４０Ｄは、広告主の情報端末２０に対し、広告表示の希望の有無を問い合わせる。さらに、広告主受付部４０Ｄは、広告主の情報端末２０から広告表示の希望情報１２０を受け付け、その旨を記憶装置へ記憶する。広告表示の希望情報１２０は、広告主の名称１２１と、広告主の識別子１２２と、広告主の口座番号情報１２３と、広告主が希望する広告内容を示す情報（広告内容情報）１２４と、広告を表示する期間を示す情報（広告期間情報）１２５と、を備える（図４（Ｂ））。
【００２９】
広告登録部４０Ｌは、広告表示エリアの設定の希望情報１１０と広告表示の希望情報１２０とを関連付けて、広告登録情報１３０（図４（Ｃ））として生成する。次に、広告登録部４０Ｌは、広告登録情報１３０を記憶装置へ記憶する。
【００３０】
広告費決済部４０Ｍは、広告登録情報１３０を参照して、広告登録情報１３０に含まれる広告表示エリアの価格情報１１７と広告期間情報１２５との積から広告費１４１を算出するとともに、広告主の口座番号情報１２３等を読み込む。また、広告費決済部４０Ｍは、広告費に相当する金額を、広告主の口座番号情報１２３に相当する口座番号から引き落とし、決済が完了する。広告主との決済手段は、口座引き落としの他、現金、クレジットカードなどでもよい。なお、決済完了後、広告費決済部４０Ｍは、広告主の情報端末２０に対し、決済完了の旨を通知してもよい。
【００３１】
広告配信依頼部４０Ｎは、広告登録情報１３０を参照して、広告登録情報１３０に含まれる広告表示端末のIPアドレス情報１１５及び広告内容情報１２４等を読み込む。また、広告配信依頼部４０Ｎは、読み込んだIPアドレス情報１１５に相当する広告表示端末に対し、広告内容情報１２４に相当する内容の広告表示を要求する。
【００３２】
デジタル通貨発生部４０Ｊは、広告費決済部４０Ｍの決済によって得られた広告費１４１に対し、所定のレート１４２を乗じて、売上相当分のデジタル通貨を発生させる。デジタル通貨の発生分をデジタル通貨発生数１４３と称する（図４（Ｄ））。デジタル通貨発生部４０Ｊは、デジタル通貨発生数１４３、及び消防署の識別子１１２を関連付け、これをデジタル通貨発生情報１４０として記憶装置へ記憶される。デジタル通貨とは、現金へ交換ができず、広告代理システム２のように特定のシステムで使用可能なサービスポイントである。なお、デジタル通貨発生部４０Ｊは、デジタル通貨発生数１４３とともに、広告費１４１、レート１４２を消防署の識別子１１２に関連付けてもよい。
【００３３】
購入受付部４０Ｐは、当該消防署の情報端末１０から、商品またはサービスの購入の申し込み（購入申し込み情報１５０）を受け付ける。購入申し込み情報１５０は、消防署の識別子１１２と、購入希望の商品名１５１と、購入価格１５２と、を含む（図４（Ｅ））。ここで購入価格１５２とは、消防署が購入希望する商品に関し、消防車が合意した販売価格を指す。
【００３４】
デジタル通貨決済部４０Ｑは、購入申し込み情報１５０から消防署の識別子１１２を読み込み、有効なデジタル通貨発生数１４３の合計を算出する。次に、デジタル通貨決済部４０Ｑは、購入申し込み情報１５０に基づいて、購入価格１５２を読み、これに相当するデジタル通貨発生数を算出する。さらに、デジタル通貨決済部４０Ｑは、有効なデジタル通貨発生数１４３の合計から、購入価格１５２に相当するデジタル通貨発生数を減じる。その後、デジタル通貨決済部４０Ｑは、減算結果を、有効なデジタル通貨発生数１４３として記憶装置に記憶する。こうして、消防署について有効なデジタル通貨発生数１４３が更新される。
【００３５】
図示は省略するが、各端末１０〜２０や、各サーバ３０、５０は、管理サーバ４０と同様にして、ＣＰＵと、ＲＡＭと、ＲＯＭと、外部記憶装置と、入力装置と、出力装置と、入出力インターフェースと、バスと、を備えている。そして、ＲＯＭに記憶された基本ＯＳや各種プログラムがＣＰＵによって実行されると、各端末１０〜２０や、各サーバ３０、５０は、所定の要求を受け付ける受付部と、所定の演算をする演算部と、所定の演算結果を記憶する記憶部と、所定の要求を出力する出力部と、として機能する。
【００３６】
次に、図５〜６に示すように、広告代理システム２の動作を説明する。
【００３７】
管理サーバ４０は、消防署の情報端末１０に対し、消防署が所有する緊急車両に広告表示エリアの設定について希望の有無を問い合わせる（Ｓ１１０）。さらに、管理サーバ４０は、消防署の情報端末１０からの広告表示エリアの設定の希望情報１１０（図４（Ａ））を受け付け、その旨をＤＢサーバ５０の記憶装置へ記憶する（Ｓ１２０）。
【００３８】
管理サーバ４０は、広告主の情報端末２０に対し、広告表示の希望の有無を問い合わせる（Ｓ１３０）。さらに、管理サーバ４０は、広告主の情報端末２０から広告表示の希望情報１２０を受け付け、その旨をＤＢサーバ５０の記憶装置へ記憶する（Ｓ１４０）。
【００３９】
管理サーバ４０は、広告表示エリアの設定の希望情報１１０と広告表示の希望情報１２０とを関連付けて、広告登録情報１３０を生成し、ＤＢサーバ５０の記憶装置へ記憶する。その後、管理サーバ４０は、広告登録情報１３０を参照して、広告登録情報１３０に含まれる広告表示エリアの価格情報１１７及び広告主の口座番号情報１２３等を読み込むとともに、広告費１４１に相当する金額を、広告主の口座番号情報１２３に相当する口座番号から引き落とし、消防署に代わって決済を行う（Ｓ１５０）。
【００４０】
管理サーバ４０は、広告費１４１（例えば１００万円）に対し、所定のレート１４２（例えば、１）を乗じて、広告費相当分のデジタル通貨（例えば、１００万円に相当するデジタル通貨）を発生させるとともに、デジタル通貨発生数１４３等を消防署の識別子１１２に対して関連付け、これをデジタル通貨発生情報１４０として、ＤＢサーバ５０の記憶装置へ記憶する（Ｓ１６０）。なお、ＤＢサーバ５０において、消防署の識別子１１２が関連付けられたデジタル通貨発生情報１４０（例えば１５０万円）が既に存在する場合には、既存のデジタル通貨発生情報１４０のデジタル通貨発生数１４３に対し、新たなデジタル通貨発生数１４３（売上相当分のデジタル通貨）を加算するとともに、管理サーバ４０は、加算結果（例えば２５０万円）を、当該消防署に関する「有効なデジタル通貨発生情報１４０」として更新すればよい。
【００４１】
管理サーバ４０は、広告登録情報１３０を参照して、広告登録情報１３０に含まれる広告表示端末のIPアドレス情報１１５及び広告内容情報１２４等を読み込むとともに、読み込んだIPアドレス情報１１５に相当する広告表示端末１１に対し、広告内容情報１２４に相当する内容の広告表示を要求する（Ｓ１７０）。広告表示端末１１は、管理サーバ４０からの広告表示の要求の受信を契機に、大型ディスプレイに対し、広告内容情報１２４に相当する内容の広告表示を行う（Ｓ１７５）。
【００４２】
消防署の情報端末１０は、管理サーバ４０に対し、デジタル通貨によって購入可能な商品やサービスのメニュー情報を要求する（図６  Ｓ２１０）。管理サーバ４０は、メニュー情報の要求を受け取ると、要求元の消防署の情報端末１０に対し、デジタル通貨によって購入可能な商品やサービスのメニューを表示する（Ｓ２２０）。デジタル通貨によって購入可能な商品やサービスは、広告主から広告主の決済を消防署に代わって行う者（例えば、管理サーバ４０の運営業者）が取り扱う商品であることが好ましい。消防署の情報端末１０は、表示されたメニューから、購入希望の商品（例えば、消火ホース）についての購入申し込み情報１５０を管理サーバ４０へ送信する（Ｓ２３０）。
【００４３】
管理サーバ４０は、当該消防署の情報端末１０から、商品またはサービスの購入の申し込み（購入申し込み情報１５０）を受け付ける（Ｓ２４０）と、購入申し込み情報１５０に基づいて、購入価格１５２（例えば５０万円）を読み込む（Ｓ２５０）。次に、管理サーバ４０は、購入申し込み情報１５０から消防署の識別子１１２を読み込み、有効なデジタル通貨発生数１４３の合計を算出する。さらに、管理サーバ４０は、有効なデジタル通貨発生数１４３の合計（例えば２５０万円）から、購入価格１５２の相当数（例えば、５０万円に相当するデジタル通貨）を減じる（Ｓ２６０）。その後、管理サーバ４０は、有効なデジタル通貨発生数１４３として、減算結果（例えば、２００万円）を記憶装置に記憶する。こうして、消防署について有効なデジタル通貨発生数１４３が更新される（Ｓ２７０）。
【００４４】
広告代理システム２によれば、消防署が所有する車体に広告表示エリアを設定するとともに、その広告費の決裁は、消防署に代わって、管理サーバ４０（またはその運営業者）が行う。このため、消防署において、広告収入の受け取りの決裁を行わずに済む。また、広告費は、デジタル通貨として当該消防署に紐づくため、当該消防署が消耗品等の購入をする際、デジタル通貨のみで購入することができれば、現金の移動がなくなる。このため、消耗品等の購入における決済が不要となる。さらに、購入の決裁が下りた場合であっても、デジタル通貨を用いることにより、正規価格からデジタル通貨の分だけ割引価格で購入することができる。したがって、本発明によれば、消防署のように、予算確保が困難な組織においても、別途の決裁を行わずとも資金調達が可能となる。
【００４５】
なお、広告費決済部４０Ｍは、広告費１４１にレート１４２を乗じたものを、消防署の売上預かり金として、記憶装置に記憶しておくことが好ましい。また、消防署の売上預かり金は、デジタル通貨発生情報１４０に含まれることが好ましい。
【００４６】
なお、仮想通貨処理ステップ（図５  Ｓ１６０）において、管理サーバ４０（デジタル通貨発生部４０Ｊ）は、レート１４２（図４（Ｄ）を１倍としたが、本発明はこれに限られず、レート１４２を１未満とし、残りを管理サーバ４０の運営の売り上げ割合としてもよい。この場合には、広告費１４１に対し「１からレート１４２を減じたもの」を乗じたものを、管理サーバ４０の運営売り上げとして、記憶装置に記憶してもよい。
【００４７】
上記実施形態では、消防車や救急車のような緊急車両に設けられた広告表示端末を利用して広告表示を行ったが本発明はこれに限られず、広告内容を塗装する、または、広告内容が表示されたフィルムを車体等に貼り付けるとしてもよい。また、消防車や救急車のような緊急車両に限らず、一般の車両に対して行ってもよい。また、車両に限らず、無人航空機等の緊急用の飛行体や一般の飛行体を含めた移動体としてもよい。
【００４８】
上記実施形態では、消防車や救急車等の移動体に広告表示エリアを設定したが本発明はこれに限られず、消防署が所有する物品（例えば、看板）に広告表示エリアを設定してもよいし、消防署が管理する物品に広告表示エリアを設定してもよい。
【００４９】
上記実施形態では、消防署が所有する物品又は管理する物品に広告表示エリアを設定したが、本発明はこれに限られず、消防署に限らず警察署など公的な組織が所有する物品又は管理する物品に広告表示エリアを設定してもよい。
【００５０】
上記実施形態では、各ステップをコンピュータで行ったが、本発明はこれに限られず、その一部を人が行ってもよい。
【００５１】
なお、本発明の趣旨の範囲においてデジタル通貨として、現金に交換可能な電子マネーや仮想通貨を含めてもよい。
【００５２】
尚、本発明は、上記した実施の形態に限定されるものではなく、本発明の要旨を逸脱しない範囲内において種々変更を加え得ることは勿論である。
【符号の説明】
【００５３】
２     広告代理システム
１０   情報端末
１１〜１２    広告表示端末
２０   情報端末
３０   広告配信サーバ
４０   管理サーバ
４０Ａ 広告表示エリア受付部
４０Ｄ 広告主受付部
４０Ｊ デジタル通貨発生部
４０Ｌ 広告登録部
４０Ｍ 広告費決済部
４０Ｎ 広告配信依頼部
４０Ｐ 購入受付部
４０Ｑ デジタル通貨決済部
５０   ＤＢサーバ
８０   通信回線
【図１】
2020194403.tif 000003
【図２】
2020194403.tif 000004
【図３】
2020194403.tif 000005
【図４】
2020194403.tif 000006
【図５】
2020194403.tif 000007
【図６】
2020194403.tif 000008